(57)【特許請求の範囲】
【請求項１】
音声認識部を備え、この音声認識部によって、入力された音声を認識し、この認識した音声に対応するコマンドを生成するコマンド生成手段と、
生成した前記コマンドをテレビ装置本体に送信するとともに、前記テレビ装置本体から送信される前記コマンドを受信したことを示す応答信号を受信する手段であって、前記コマンドを送信する方向、及び前記応答信号を受信する方向を、所定範囲内の一方から他方へ変更する方向変更部と、この方向変更部及びコマンドの送信及び停止を制御する制御部とを備え、前記制御部は、前記コマンドを繰り返し送信しながら、前記方向変更部を用いて、送信する方向を前記所定範囲内の一方から他方まで変更させるコマンド送信処理を行い、前記他方に前記送信する方向が達するまでに、前記コマンドを受信したことを示す前記応答信号を受信した場合は、前記コマンド送信処理を停止し、前記応答信号を受信しなかった場合は、前記コマンド送信処理を繰り返す制御部である、第１の送受信手段と、
を有するリモートコントロール装置と、
電子番組表に関する情報を含む放送波を受信する放送受信手段と、
前記リモートコントロール装置から送信される前記コマンドを受信した場合に、このコマンドに対応する前記応答信号を前記リモートコントロール装置に送信する第２の送受信手段と、
受信した前記コマンドの内容に応じて、本装置が備える表示部に、前記電子番組表に関する情報に基づいて生成した電子番組表を表示し、この表示された電子番組表の中から見出し項目を選択させ、この選択された見出し項目に関連付けられた複数の番組の番組名を前記表示部に表示し、この表示された複数の番組の番組名のうちから１つを選択させ、この選択した番組名に対応する番組を表示する選択表示手段と、
を有するテレビ装置本体と、
から構成されたテレビ装置。
【請求項２】
画像認識部を備え、この画像認識部によって、撮影された人間の身振り手振り、または撮影された人間の顔の表情を認識し、この認識した身振り手ぶり、または顔の表情に対応した前記コマンドを生成するコマンド生成手段と、
生成した前記コマンドをテレビ装置本体に送信するとともに、前記テレビ装置本体から送信される前記コマンドを受信したことを示す応答信号を受信する手段であって、前記コマンドを送信する方向、及び前記応答信号を受信する方向を、所定範囲内の一方から他方へ変更する方向変更部と、この方向変更部及びコマンドの送信及び停止を制御する制御部とを備え、前記制御部は、前記コマンドを繰り返し送信しながら、前記方向変更部を用いて、送信する方向を前記所定範囲内の一方から他方まで変更させるコマンド送信処理を行い、前記他方に前記送信する方向が達するまでに、前記コマンドを受信したことを示す前記応答信号を受信した場合は、前記コマンド送信処理を停止し、前記応答信号を受信しなかった場合は、前記コマンド送信処理を繰り返す制御部である、第１の送受信手段と、
を有するリモートコントロール装置と、
電子番組表に関する情報を含む放送波を受信する放送受信手段と、
前記リモートコントロール装置から送信される前記コマンドを受信した場合に、このコマンドに対応する前記応答信号を前記リモートコントロール装置に送信する第２の送受信手段と、
受信した前記コマンドの内容に応じて、本装置が備える表示部に、前記電子番組表に関する情報に基づいて生成した電子番組表を表示し、この表示された電子番組表の中から見出し項目を選択させ、この選択された見出し項目に関連付けられた複数の番組の番組名を前記表示部に表示し、この表示された複数の番組の番組名のうちから１つを選択させ、この選択した番組名に対応する番組を表示する選択表示手段と、
を有するテレビ装置本体と、
から構成されたテレビ装置。
【発明の詳細な説明】
【０００１】
【発明の属する技術分野】
本発明は、電子番組表を用いて受信する番組を選択するテレビ装置に関する。
【０００２】
【従来の技術】
従来からテレビ装置（以下テレビともいう）の制御は様々な方法で行なわれてきたが、例えば希望するチャネルをユーザが選択するためのキー入力によるチャネル選択手段がテレビ装置本体に設けられ、ユーザはキーを押すことでチャネルを選択する方法も存在した。更には、ユーザが手元に携帯したリモートコントロール装置（以下リモコンともいう）に付属したキー等の入力手段を操作して、所望のチャネルを選択する例は広く実施されてきた。
しかし、ケーブルテレビ（以下ＣＡＴＶともいう）や衛星放送の普及により、従来の地上波のみであった時代と比較して、テレビが受信可能なチャネル数は飛躍的に増大してきているので、ユーザは自分が所望する番組や放送局をあらかじめ記憶しておいてチャネルを選択することが困難となってきており、多数のチャネルや番組の中から、より快適、確実、迅速にチャネルを選択操作する方法の開発が期待されている。
【０００３】
ユーザのチャネル選択をより容易にする一つの解決手段として、各チャネルで放送される番組情報をデータにした電子番組表（以下Ｇガイドともいう）をテレビ装置が受信して、前記Ｇガイドを画面に表示してその中から選択する方法が提案されている。Ｇガイドはリアルタイムに供給される番組情報と、番組やチャネルをカテゴリー（“スポーツ”等）やコンセプト（“リラックス”等）等といったいわゆる“見出し語”に関連付けさせ、ユーザが所望の見出し語を選択すると関連付けられた番組やチャネルが表示されるようにして、ユーザの番組選択をより容易にしようとする提案であるが、そのようなＧガイドの画面表示の中からユーザが見出し語を快適に選択操作できるようにするための具体的な方法は、また別の解決手段が必要であった。
【０００４】
一方、ユーザが手元で携帯して操作するリモコンにおいては、例えば特開平６−２４５２６８号公報に記載の発明のように、リモコンに表示部を設け、前記表示部にユーザが選択すべき項目をメニューとして表示し、ユーザは前記表示部を見ながらキー入力あるいはペンタッチ手段を用いて所望の項目を選択しようとする提案もなされている。しかしながらキーやペンタッチを用いて項目を選択する方法なので、年少者、年配者、女性等を含めた一般のユーザにとっては必ずしも扱いやすいとはいえず、誰もが快適にリモコンを用いて、テレビ等の機器を操作する手段とはなり得ない、という課題があった。
また、従来技術に係るリモコンにおいては、前記のように、電子番組表を用いて所望の番組を選択するテレビ装置では、制御に用いるリモコン装置の内部に電子番組表に関する情報を常に更新が可能な状態で蓄積しておくことができれば、前記の機能をより良く発揮できるのにも関わらず、それを実現する手段がない、という課題があった。
更に、従来技術に係るリモコンにおいては、リモコンから信号が発信される個所、例えば赤外線コードの発光部などを制御される装置であるテレビ装置本体等に向けながら、キーを押すなどして操作することが一般的であった。しかし例えば音声でコマンドを入力する方式のリモコンでは、音声を受けるマイクロホンの指向性等の制約によって、前記の赤外線コード発光部などを必ずしもテレビ装置本体の方向に向けることができなくなり、リモコンから制御される装置への送信が確実に行われなくなる、という課題があった。
【０００５】
【発明が解決しようとする課題】
本発明は以上の様な状況に鑑みてなされたものであり、発明が解決しようとする課題は、第一には、電子番組表が供給する選択可能なチャネルの中から、より快適、簡便、迅速に所望のチャネルを選択することができ、また、リモートコントロール装置からテレビ装置本体への信号の送信が確実に行われるテレビ装置を提供することにある。
本発明が解決しようとする課題の第二は、前記のような、電子番組表が供給する選択可能なチャネルの中から所望のチャネルを選択することができるテレビ装置において、選択に用いるリモートコントロール装置内に電子番組表に関する情報が常に更新が可能な状態で蓄積できるようにすることである。
【０００６】
【課題を解決するための手段】
本発明は、上記課題を解決するために以下の装置を提供するものである。
（１）音声認識部を備え、この音声認識部によって、入力された音声を認識し、この認識した音声に対応するコマンドを生成するコマンド生成手段と、
生成した前記コマンドをテレビ装置本体に送信するとともに、前記テレビ装置本体から送信される前記コマンドを受信したことを示す応答信号を受信する手段であって、前記コマンドを送信する方向、及び前記応答信号を受信する方向を、所定範囲内の一方から他方へ変更する方向変更部と、この方向変更部及びコマンドの送信及び停止を制御する制御部とを備え、前記制御部は、前記コマンドを繰り返し送信しながら、前記方向変更部を用いて、送信する方向を前記所定範囲内の一方から他方まで変更させるコマンド送信処理を行い、前記他方に前記送信する方向が達するまでに、前記コマンドを受信したことを示す前記応答信号を受信した場合は、前記コマンド送信処理を停止し、前記応答信号を受信しなかった場合は、前記コマンド送信処理を繰り返す制御部である、第１の送受信手段と、
を有するリモートコントロール装置と、
電子番組表に関する情報を含む放送波を受信する放送受信手段と、
前記リモートコントロール装置から送信される前記コマンドを受信した場合に、このコマンドに対応する前記応答信号を前記リモートコントロール装置に送信する第２の送受信手段と、
受信した前記コマンドの内容に応じて、本装置が備える表示部に、前記電子番組表に関する情報に基づいて生成した電子番組表を表示し、この表示された電子番組表の中から見出し項目を選択させ、この選択された見出し項目に関連付けられた複数の番組の番組名を前記表示部に表示し、この表示された複数の番組の番組名のうちから１つを選択させ、この選択した番組名に対応する番組を表示する選択表示手段と、
を有するテレビ装置本体と、
から構成されたテレビ装置。
【０００７】
（２）画像認識部を備え、この画像認識部によって、撮影された人間の身振り手振り、または撮影された人間の顔の表情を認識し、この認識した身振り手ぶり、または顔の表情に対応した前記コマンドを生成するコマンド生成手段と、
生成した前記コマンドをテレビ装置本体に送信するとともに、前記テレビ装置本体から送信される前記コマンドを受信したことを示す応答信号を受信する手段であって、前記コマンドを送信する方向、及び前記応答信号を受信する方向を、所定範囲内の一方から他方へ変更する方向変更部と、この方向変更部及びコマンドの送信及び停止を制御する制御部とを備え、前記制御部は、前記コマンドを繰り返し送信しながら、前記方向変更部を用いて、送信する方向を前記所定範囲内の一方から他方まで変更させるコマンド送信処理を行い、前記他方に前記送信する方向が達するまでに、前記コマンドを受信したことを示す前記応答信号を受信した場合は、前記コマンド送信処理を停止し、前記応答信号を受信しなかった場合は、前記コマンド送信処理を繰り返す制御部である、第１の送受信手段と、
を有するリモートコントロール装置と、
電子番組表に関する情報を含む放送波を受信する放送受信手段と、
前記リモートコントロール装置から送信される前記コマンドを受信した場合に、このコマンドに対応する前記応答信号を前記リモートコントロール装置に送信する第２の送受信手段と、
受信した前記コマンドの内容に応じて、本装置が備える表示部に、前記電子番組表に関する情報に基づいて生成した電子番組表を表示し、この表示された電子番組表の中から見出し項目を選択させ、この選択された見出し項目に関連付けられた複数の番組の番組名を前記表示部に表示し、この表示された複数の番組の番組名のうちから１つを選択させ、この選択した番組名に対応する番組を表示する選択表示手段と、
を有するテレビ装置本体と、
から構成されたテレビ装置。
【０００８】
【発明の実施の形態】
本発明に係るテレビ装置の、第一の実施の形態を、図１ないし図７を用いて説明する。
最初に、その構成を図１ないし図４を用いて説明する。
図１は本発明に係る装置において、テレビ装置本体（１２）の構成の概要を示したものである。図１において、操作部（１０）は、テレビ装置本体（１２）に付属するキー入力手段等で実現され、ユーザがキー等を操作してテレビ装置本体（１２）の受信チャネル、音声レベル、音声サラウンドモードのオン・オフ等の受信条件を設定する機能を有する。操作部（１０）はユーザの設定に応じた信号を制御部（９）に出力する。制御部（９）は、前記操作部（１０）から入力した信号に応じて放送受信部（５）を制御する。更に制御部（９）は、後述する電子番組表の見出し語に関する情報を放送受信部（５）から受け取り、ディスプレイプロセッサ（８）に出力する機能を有する。
【０００９】
一方、図１において、宅内に設置されたＣＡＴＶの出力端子であるターミナル（１）からケーブル（２）を介して分岐部（３）に供給された、ＲＦ信号等で実現されるテレビ信号は、テレビ装置本体（１２）内部の放送受信部（５）に入力する。前記分岐部（３）からは、別のケーブル（４）を介して図示しない他のＡＶ機器へテレビ信号が供給されてもよい。
放送受信部（５）は、前記テレビ信号から分離、復調したビデオ信号をビデオ部（６）に出力する。ビデオ部（６）は内部に有するＣＲＴ等の表示手段により入力したビデオ信号を映像として表示する。また放送受信部（５）は、テレビ信号から分離、復調したオーディオ信号をオーディオ部（７）に出力し、オーディオ部（７）は内部に有する電気音響変換手段により音声を出力する。更に放送受信部（５）は、テレビ信号に含まれる、後述する電子番組表に関する情報を分離、復調し、制御部（９）に出力する。制御部（９）は前記のように、入力した電子番組表に関する情報を蓄積し、後述するようにユーザの操作に応じて必要な電子番組表の見出し語に関する情報をディスプレイプロセッサ（８）に出力する機能も有する。
ディスプレイプロセッサ（８）は入力された電子番組表の見出し語の情報に応じて電子番組表の表示画面を構成しビデオ信号としてビデオ部（６）に出力する機能を有する。
【００１０】
また、送受信部（１１）は、後述するリモコン（１３）が発した赤外線コード等の送信信号を受信し電気信号に変換し、制御部（９）に出力する機能を有する。更に送受信部（１１）は、Ｇガイドの見出し語情報を赤外線コード等の信号として、リモコン（１３）に送信する機能を有する。
リモコン（１３）は、ユーザの操作に応じて、テレビ装置本体（１２）の放送受信状態を設定したり、Ｇガイド画面における選択を行なう。リモコン（１３）の構成と機能については、後述する。
前記の構成のうち、放送受信部（５）、ビデオ部（６）、オーディオ部（７）、ディスプレイプロセッサ（８）、制御部（９）、操作部（１０）、送受信部（１１）は、テレビ装置本体（１２）の構成に含まれる。
【００１１】
次に図２の構成図を用いて、前記テレビ装置本体（１２）の一つの構成要素である制御部（９）の内部の構成を説明する。
図２は、前記制御部（９）の内部の構成を示す構成図である。本願発明に関連の少ない構成要素、例えば前記操作部（１０）のキーを直接操作してチャネルを選択する機能、再生する音量を制御する機能等に関する構成物は図示を省略してある。省略した前記構成物は、従来技術に係るテレビ装置本体に付属するものが同様に配設されているとみなして差し支えない。
【００１２】
図２において、見出し語情報設定部（９Ａ）は、Ｇガイド表示に含まれる、見出し語の情報を記憶し、必要に応じてディスプレイプロセッサ（８）に出力する機能を有する。ここで“見出し語”とは、Ｇガイドの表示画面の中でユーザが選択すべき項目として画面に表示された見出し項目のことであり、その中身は一つには個々のチャネル名あるいは個々の番組名であり、更には、複数の番組を包含する様なカテゴリー（“スポーツ”等）あるいはコンセプト（“リラックス”等）をここでは意味している。
前記見出し語情報設定部（９Ａ）に対して、前記放送受信部（５）は、毎日定期的に放送電波等を通じて供給される１日分の番組情報（“固定見出し語”ともいう）と、放送電波等によって随時リアルタイムに供給される番組情報（“流動見出し語”ともいう）を受信、復調して出力する。入力した番組情報を前記見出し語情報設定部（９Ａ）は内部に記憶し、最新の情報に更新しており、操作部（１０）あるいはリモコン（１３）のコマンドを受信した送受信部（１１）から要求があると、表示すべき見出し語をディスプレイプロセッサ（８）に出力する。
【００１３】
更に図２において、チャネル検出部（９Ｂ）は、操作部（１０）あるいはリモコン（１３）を用いてユーザが選択した、Ｇガイド画面中の見出し語を検知し、選択された見出し語に関連付けられたチャネルを選択してチャネル選択部（９Ｃ）に出力するか、あるいは見出し語に関連付けられた新たな見出し語を見出し語情報設定部（９Ａ）に出力する機能を有する。
更に図２において、チャネル選択部（９Ｃ）は、チャネル検出部（９Ｂ）の出力に応じてチャネルを選択し、選択したチャネルが受信されるように放送受信部（５）を制御する機能を有する。
【００１４】
次に、リモコン（１３）の内部の構成を図３を用いて説明する。
図３は、リモコン（１３）の内部の概略の構成を示す構成図である。本願発明が目的とするＧガイドによる番組選択に関連性が少ない構成物、例えばテレビ装置本体（１２）の音量調節や日付を設定する機能等に関わる構成物は図示を省略してある。それらは従来技術に係るテレビ用リモコンと同様のものが配設されれているものと考えて差し支えない。
【００１５】
図３の構成図における各構成要素を説明する。
音声入力部（１３Ｂ）は、マイクロホン等の音響電気変換手段と、マイクロホン等の出力する電気信号を言語に変換する音声認識手段等で構成され、ユーザの発した言葉を対応する制御信号に変換して、リモコン見出し語情報設定部（１３Ｄ）とリモコンチャネル検出部（１３Ｃ）に出力する機能を有する。リモコン操作部（１３Ａ）は、具体的にはリモコン（１３）の筐体外観部に設けられたキー手段等で実現され、ユーザのキープッシュによる操作に応じて、対応する制御信号を、リモコン見出し語情報設定部（１３Ｄ）とリモコンチャネル検出部（１３Ｃ）に出力する機能を有する。
【００１６】
リモコン見出し語情報設定部（１３Ｄ）は、Ｇガイド表示に含まれる見出し語の情報を設定し、記憶するとともに、リモコン操作部（１３Ａ）あるいはリモコンチャネル検出部（１３Ｃ）からの要求に応じて、Ｇガイドの見出し語情報をリモコンディスプレイプロセッサ（１３Ｇ）に出力する機能を有する。
リモコンディスプレイプロセッサ（１３Ｇ）は、リモコン見出し語情報設定部（１３Ｄ）から入力された電子番組表の見出し語の情報に応じて電子番組表の表示画面を構成し制御信号としてリモコンディスプレイ（１３Ｈ）に出力する機能を有する。リモコンディスプレイ（１３Ｈ）は入力した制御信号に応じて、Ｇガイド情報を表示する機能を持つ。サイズを小型にするため、液晶表示素子等で実現されている。
【００１７】
リモコンチャネル検出部（１３Ｃ）は、リモコン操作部（１３Ａ）あるいは音声入力部（１３Ｂ）を用いてユーザが選択した、前記Ｇガイド画面に表示された見出し語を検知し、選択された見出し語の内容に応じてチャネルを選択してリモコンチャネル選択部（１３Ｅ）に出力するか、Ｇガイド画面に表示すべき新たな見出し語をリモコン見出し語情報設定部（１３Ｄ）に出力する機能を有する。
更に図３において、リモコンチャネル選択部（１３Ｅ）は、リモコンチャネル検出部（１３Ｃ）の出力に応じてチャネルを選択し、選択した結果をリモコン送受信部（１３Ｆ）に出力する機能を有する。
【００１８】
リモコン送受信部（１３Ｆ）は、リモコンチャネル選択部（１３Ｅ）から入力したチャネル選択の情報に応じて、赤外線コード等の伝送手段により、前記テレビ装置本体（１２）内の送受信部（１１）に、選択されたチャネルの情報を変調して伝送する機能を有する。更にリモコン送受信部は、前記テレビ装置本体（１２）内部の送受信部（１１）から、Ｇガイドに関する更新情報を受信し、復調してリモコン見出し語情報設定部（１３Ｄ）に出力する機能を有する。
【００１９】
次に、図４を用いて、前記のリモコン（１３）を別な観点から説明する。
図４は、リモコン（１３）の外観を模式的に示した外観図である。
図４において、マイクロホン（１３Ｂ−１）は、ユーザの発した音声を電気信号に変換する機能を有する。キー（１３Ａ−１）はユーザのプッシュ操作に応じて受信するチャネルや受信条件を選択する機能を有する。リモコンディスプレイ（１３Ｈ）は、Ｇガイド画面を表示する機能を有する。
送受信センサー（１３Ｆ−１）は、前記リモコン送受信部（１３Ｆ）の一部を構成し、赤外線コード等の送受信を行なう機能を有する。送受信センサー（１３Ｆ−１）は、送受信感度が特定の角度で最大となる指向性を有し、一方その構造は図４に示すように指向性が最大となる方向を変化させるように回転するように構成されているので、例えば図４Ａ，Ｂ、Ｃという具合に、異なる方向に信号を発信し、あるいは異なる方向から信号を受信することが可能となっている。以上が図４を用いた、リモコン（１３）の説明である。
【００２０】
次に、図１ないし図６を用いて、本願発明に係る装置の第一の実施の形態において、ユーザが所望の番組やチャネルを選択する際の動作を説明する。
図１のテレビ装置本体（１２）の構成図において、放送受信部（５）は、ターミナル（１）から供給されるテレビ信号中に変調されているＧガイドに関する情報を受信、分離、復調し、制御部（９）に出力する。
図２の制御部（９）の構成図において、入力されたＧガイドに関する情報は、見出し語情報設定部（９Ａ）に記憶され、記憶されたＧガイドに関する情報は新たな入力により随時更新されている。
【００２１】
次にユーザが、図４におけるＧガイド表示のための所定のキー（１３Ａ−１中の図示しないキー）をプッシュするか、あるいは図４におけるマイクロホン（１３Ｂ−１）に向かって例えば「Ｇガイド」と発声するなどの操作により、図３のリモコン見出し語情報設定部（１３Ｄ）はＧガイド表示を行なう旨の制御を開始し、図３のリモコンディスプレイプロセッサ（１３Ｇ）に対して、Ｇガイドの見出し語情報を出力するとともに、図３のリモコン送受信部（１３Ｆ）に対して、Ｇガイド表示を開始する旨の制御信号を出力する。
【００２２】
図３のリモコンディスプレイプロセッサ（１３Ｇ）は、入力されたＧガイド情報から表示画面を構成し、制御信号として図３のリモコンディスプレイ（１３Ｈ）に出力する。図３のリモコンディスプレイ（１３Ｈ）は、入力された制御信号に応じて画面を表示する。図４のリモコンディスプレイ（１３Ｈ）は、表示画面の一例である。
一方、図３のリモコン送受信部（１３Ｆ）は、リモコン見出し語情報設定部（１３Ｄ）から入力した制御信号に応じて、赤外線コード等の伝送信号によって、Ｇガイドを表示する旨の指令を図１における送受信部（１１）にあてて送信する。
【００２３】
図１の送受信部（１１）は受信した指令を復調し、図１の制御部（９）に出力する。復調された指令は、図２の見出し語情報設定部（９Ａ）に入力する。図２の見出し語情報設定部（９Ａ）は、内部に記憶されたＧガイドの見出し語情報を図１におけるディスプレイプロセッサ（８）に出力する。図１のディスプレイプロセッサ（８）は入力されたＧガイドの見出し語情報からＧガイドの表示画面を構成し、ビデオ信号として図１のビデオ部（６）に出力する。図１のビデオ部（６）は入力されたビデオ信号に応じて、内部の表示手段にＧガイド画面を表示する。Ｇガイド画面の表示の一例を図６に示す。
【００２４】
図６は、Ｇガイド画面の表示の一例を摸式的に示したものである。
図６において、フルスクリーン（２０）は表示手段であるＣＲＴ等の全表示範囲である。Ｇガイド表示中のフルスクリーン（２０）は、いくつかの領域に別れている。メインウインドウ（２１）はフルスクリーン（２２）の過半を占める表示領域であり、メインウインドウ（２１）の内部には、見出し語の一種であるチャネル名（２２）と番組名（２３）が表示されている。
フルスクリーン（２０）のその他の領域は、複数のサブウインドウ（２４）（２５）が占めている。サブウインドウ（２４）（２５）の内部には、見出し語が表示されている。見出し語は、「リラックス」などの、複数の番組の共通するコンセプトであってもよいし、また「スポーツ」などの、番組の分類であってもよい。
図６はあくまでもＧガイド画面表示の一例であり、ユーザが操作しやすく理解がしやすい表示を行なうために、画面構成や見出し語の配置など、また他の表示方法の考案もありうることは言うまでもない。
【００２５】
図６に示したようなＧガイド画面が、図１のビデオ部（６）の表示手段に表示された状態で、ユーザはＧガイド画面を見て、例えば見出し語の一つである「リラックス」に関する番組を表示させようとした場合、図４のマイクロホン（１３Ｂ−１）に向かって、「リラックス」と発声する。発声された音声は図３の音声入力部（１３Ｂ）によって「リラックス」を表す信号に変換され、図３のリモコンチャネル検出部（１３Ｃ）に入力する。リモコンチャネル検出部（１３Ｃ）は入力された「リラックス」なる信号が、見出し語の一つであることを、図３のリモコン見出し語情報設定部（１３Ｄ）に記憶された、Ｇガイド表示の見出し語に関する情報を参照することによりに認識し、次に「リラックス」なる見出し語が選択されたことを知らせる信号を、図３のリモコン見出し語情報設定部（１３Ｄ）に出力する。
【００２６】
リモコン見出し語情報設定部（１３Ｄ）は、入力した「リラックス」なる現在Ｇガイド画面に表示中の見出し語に、「ユーザが選択した」ことを意味する属性を付して、図３のリモコンディスプレイプロセッサ（１３Ｇ）に出力すると同時に、見出し語である「リラックス」がユーザによって選択されたことを、テレビ装置本体（１２）に知らせる旨の指令を、図３のリモコン送受信部（１３Ｆ）に出力する。
図３のリモコン送受信部（１３Ｆ）は、見出し語「リラックス」がユーザに選択された旨の信号を、赤外線コード等によって図１の送受信部（１１）へ送信する。
【００２７】
図３のリモコンディスプレイプロセッサ（１３Ｇ）は、新たに入力した見出し語「リラックス」に付された、ユーザが選択したことを意味する属性を見て、「リラックス」という見出し語が現在表示中のＧガイド画面内で点滅するように、制御信号を図３のリモコンディスプレイ（１３Ｈ）に出力する。リモコンディスプレイ（１３Ｈ）は表示中のＧガイド画面中の見出し語「リラックス」を点滅表示して、ユーザの確認入力を促す。
【００２８】
一方、図１において、送受信部（１１）が受信した信号は復調されて制御部（９）に入力する。図２において、制御部（９）へ入力した信号は制御部（９）内部のチャネル検出部（９Ｂ）へ入力する。チャネル検出部（９Ｂ）は、ユーザが「リラックス」なる見出し語を選択した旨の情報を、図２の見出し語情報設定部（９Ａ）に出力する。見出し語情報設定部（９Ａ）は、「リラックス」なる現在Ｇガイド画面に表示中の見出し語に、「ユーザが選択した」ことを意味する属性を付して、図１のディスプレイプロセッサ（８）に出力する。
【００２９】
ディスプレイプロセッサ（８）は、新たに入力した見出し語「リラックス」に付された、ユーザが選択したことを意味する属性を見て、「リラックス」という見出し語が現在表示中のＧガイド画面内で点滅するように、変更したビデオ信号を図１のビデオ部（６）に出力する。ビデオ部（６）は図６に示すＧガイド画面中の見出し語「リラックス」（２４）を点滅表示して、ユーザの確認入力を促す。
ユーザは点滅した見出し語「リラックス」（２４）を見て、所望の選択すべき見出し語であれば、確認のための所定のキー（１３Ａ−１中の図示しないキー）をプッシュすることなどにより選択を確認する操作を行なう。
選択された見出し語である「リラックス」において、その選択が確認された旨の情報は、前記の「リラックス」を選択する場合と同じ経路を通って、図２のチャネル検出部（９Ｃ）に到達する。チャネル検出部（９Ｃ）は、図２の見出し語情報設定部（９Ａ）が記憶するＧガイドの見出し語に関する情報を参照することにより、見出し語「リラックス」に関連のあるチャネル番号、番組名をリストアップし、その中で現在放送中であるもののチャネル番号を図２のチャネル選択部（９Ｃ）に出力する。
【００３０】
チャネル選択部（９Ｃ）は、入力したチャネル番号に応じて、各チャネルがビデオ部（６）の表示手段に子画面で表示されるように、放送受信部（５）を制御する。
放送受信部（５）は、例えば、見出し語「リラックス」に関連し、かつ現在放送中のチャネルが、ＣＨ１００、ＣＨ１０１、ＣＨ１０２、ＣＨ１０３の四つであり、前記４つのチャネルを分割子画面で表示する旨の指令をチャネル選択部（９Ｃ）より受け取ると、ＣＲＴ等の表示手段に前記４つのチャネルが現在放送中の画面を子画面に分割して表示する。
【００３１】
一方、ユーザが音声を入力することによって選択した見出し語である「リラックス」において、ユーザがキーを押す等によって、その選択が確認された旨の情報は、前記の音声入力によって選択する場合と同じ経路を通って図３のリモコン見出し語情報設定部（１３Ｄ）に到達する。リモコン見出し語情報設定部（１３Ｄ）は「リラックス」なる見出し語に関連するチャネル番号、番組名を、内部に記憶したＧガイド表示の見出し語に関する情報を参照してリストアップし、その結果の中で、現在放送中のチャネル番号あるいは番組名を、新たなＧガイド表示用リストとして、図３のリモコンディスプレイプロセッサ（１３Ｇ）に出力する。リモコンディスプレイプロセッサ（１３Ｇ）は入力した新たなＧガイド表示用リストからＧガイド画面を再構成して制御信号として図３のリモコンディスプレイ（１３Ｈ）に出力する。リモコンディスプレイ（１３Ｈ）は新たなＧガイド画面を表示する。
【００３２】
ユーザは、テレビ装置本体（１２）のビデオ部（６）の表示手段に、前記のように複数の分割子画面で表示された複数の番組（図示しない）を見て、あるいはリモコン（１３）のリモコンディスプレイ（１３Ｈ）に表示された番組名あるいはチャネル番号を見て新たに自分が見ようとする番組を決め、図４のキー（１３Ａ−１）に含まれる図示しない数字キーやスキップキーを押すなどして、前記と同様の動作手順により分割子画面の中で、あるいはリモコンディスプレイ（１３Ｈ）の中で見ようとする番組を確定する。確定した結果は、前記と同様の経路によって信号が伝送され、最終結果としてユーザが選択した番組が、ビデオ部（６）のフルスクリーンに拡大表示される。このような一連の動作によって、ユーザは自分が所望する番組を、多数のチャネルや番組の中から、簡単、確実、迅速に選択して鑑賞することができる。
以上が、本願発明のテレビ装置を用いて、ユーザが所望の番組やチャネルを選択する際の動作の説明である。
【００３３】
その他に、本願発明にかかる前記の装置は、テレビ装置本体（１２）が記憶している、Ｇガイドの見出し語に関する情報をリモコン（１３）に送信して記憶させる機能を持つ。その動作を説明する。
図１において、宅内に配置されたターミナル（１）からはテレビ信号が供給され、そのテレビ信号は多数のチャネルの放送信号が変調されたものであると同時に、前記のＧガイドに関する情報も変調されて重畳されている。前記の、供給されるＧガイド情報は、定期的に供給される番組情報（見出し語に関する情報を含む。固定見出し語ともいう）と、随時リアルタイムで送られる番組情報（見出し語情報を含む。流動見出し語ともいう）とがある。
【００３４】
供給されたＧガイド情報は、図１の放送受信部（５）によって復調分離され、制御部（９）に出力される。入力されたＧガイド情報は図２の見出し語情報設定部（９Ａ）に入力し記憶され、また新たな入力により随時更新されている。ところでユーザがＧガイド表示の中から見出し語を選択する際には、リモコン（１３）に音声で選択項目を伝えることが可能となっており、それを実現するためには見出し語に関する情報がリモコン（１３）内部に記憶されている必要がある。また、ユーザが見出し語を選択する際に見る表示手段は、図１のビデオ部（６）に含まれるＣＲＴ等の表示手段でもよいが、図４に模式的に示したリモコンディスプレイ（１３Ｈ）に表示された見出し語から選択するのであれば、ユーザが手元で表示内容を確認できるのでより便利である。それが実現するためには、前記と同様にリモコン（１３）内部に見出し語に関する情報が記憶されている必要がある。
【００３５】
以上に説明した必要性からリモコン（１３）へは、テレビ装置本体（１２）と同様にＧガイド情報が供給される必要があるが、図１に見られるケーブル（２）や放送受信部（５）がリモコン（１３）には備えられておらず同じ方法では不可能である。
そこで例えばリモコン（１３）とテレビ装置本体（１２）を信号ケーブルで接続したり、お互いの外観部に設けた電気接点で接続してＧガイド情報を伝送することが考えられるが、そのように接続するセッティングをたびたび行なうことはユーザにとって大変わずらわしい作業であり、また前記のようにＧガイド情報は随時更新されており、セッティングを必要とするような更新の方法では常に最新のＧガイド情報をリモコン（１３）に記憶するようにすることはきわめて困難である。
【００３６】
前記の課題を解決するために、本願発明に係る装置では、次のような動作を行なう。
すなわち図２において、最新のＧガイド情報を記憶している見出し語情報設定部（９Ａ）は、Ｇガイド情報に関する更新情報を送受信部（１１）に出力する。送受信部（１１）は入力されたＧガイド情報の更新情報を赤外線コード等に変調してリモコン（１３）のリモコン送受信部（１３Ｆ）へ送信する。
図３において、リモコン送受信部（１３Ｆ）は受信したＧガイド情報の更新情報を復調してリモコン見出し語情報設定部（１３Ｄ）へ出力する。リモコン見出し語情報設定部（１３Ｄ）は入力したＧガイド情報の更新情報によって、内部に記憶しているＧガイド情報を更新するので、常に最新のＧガイド情報を記憶しておくことが可能になる。
なお、テレビ装置本体（１２）からリモコン（１３）へのＧガイド情報の更新情報の送信は、例えば３０分毎に行なったり、あるいはテレビ装置本体（１２）へＧガイド情報が入力された時に必ず同時に行なうなどいくつか考えられるが、Ｇガイド情報の供給されるルールにあわせて最適の方法が選択されればよい。以上がテレビ装置本体（１２）からリモコン（１３）へのＧガイド情報供給の説明である。
【００３７】
次に、本発明に係る装置における、テレビ装置本体（１２）とリモコン（１３）間の信号伝送の改善方法について説明する。
図４のマイクロホン（１３Ｂ−１）は外部騒音の入力を抑制する目的で指向性を有しているので、ユーザが音声でコマンドをリモコン（１３）に伝えようとすると、リモコン（１３）に対して音声をより良く入力できる方向はおのずと限定され、ユーザはその点を考慮してリモコン（１３）を特定の姿勢で手に保持して操作することになるが、その特定の姿勢が、図３のリモコン送受信部（１３Ｆ）から赤外線コード等を図１の送受信部（１１）へ伝送するためには最適とはいえず、リモコン（１３）からのコマンドがテレビ装置本体（１２）へ伝わらない可能性が出てくる。この事は言い換えると、従来のリモコン装置及びテレビ装置で、ユーザがリモコン装置からコマンドをテレビ装置へ送信しようとするときには、リモコン装置の発光部をテレビ装置の受光部の方向へ向けて、確実に送信ができるような操作をすることが多かった。しかし本願発明の装置では音声でリモコン（１３）にコマンドを伝える操作を行なうので、前記のように、送信に最適な方向にリモコン（１３）を向けることが出来ない場合がありうる、ということである。
【００３８】
また更に、前記のようにテレビ装置本体（１２）はリモコン（１３）に対して、随時Ｇガイド情報の更新情報を送信している。この送信はユーザの意志とは無関係になされるので、送信時にリモコン（１３）のリモコン送受信部（１３Ｆ）の受信指向性方向がたまたまテレビ装置本体（１２）の方向を向いていない等の理由で、Ｇガイド情報の更新情報の受信が確実に行なえない、という問題も起こりうる。
前記のような、テレビ装置本体（１２）とリモコン（１３）間の信号伝送が確実に行なえない、という問題に対して、本願発明に係る装置は以下の様な手段で対処をしている。
【００３９】
すなわち、図４において、送受信センサー（１３Ｆ−１）は、その送信及び受信の特性において指向性を有し、またその指向性が最良となる方向を変化させるように回転する構造となっている。
また、図１の送受信部（１１）と図３のリモコン送受信部（１３Ｆ）の双方はは、まず受信において何らかの送信を受信した際には必ず受信したことを示す信号を相手に送るようになっている。更に送信においては、前記の受信したことを示す信号を送信先から受信して後、送信動作を終了するようにしている。
図３のリモコン送受信部（１３Ｆ）の受信の際の動作を、図７のフローチャートを用いて説明する。
【００４０】
図７は、図３のリモコン送受信部（１３Ｆ）がテレビ装置本体（１２）からの送信を受信する際の動作の推移を示すフローチャートである。
図７において、受信の割り込み動作（１００）は、例えば、あらかじめ決められたＧガイド情報送信の時刻が来た、とか、テレビ装置本体（１２）から不完全ながら何らかの送信の断片を受信した、等のイベントにより開始する。
最初に図４の送受信センサー（１３Ｆ−１）を回転可能範囲の片方の端に位置させ受信を行なう（Ｓ１０１）。次にあらかじめ設定された角度、例えば５度だけ送受信センサー（１３Ｆ−１）を回転し受信を行なう（Ｓ１０２）。以下等間隔で受信を繰り返し、最後に他方の回転範囲端点で受信を行なう（Ｓ１０３）。次に完全なデータが今までの過程で受信できたかを判断する（Ｓ１０４）。Ｙならばテレビ装置本体（１２）に対して受信確認信号を送信する（Ｓ１０５）。ＮならばステップＳ１０１に戻る。ステップＳ１０１からステップＳ１０４までの動作を一定の時間内で繰り返し、それでも受信が出来なければ割り込み１００より脱出する。
【００４１】
以上のような動作により、本願発明に係る装置は、リモコン（１３）がテレビ装置本体（１２）の送受信部（１１）への送信に必ずしも最適の姿勢で操作されるとは言えず、またテレビ装置本体（１２）からリモコン（１３）へ随時送信が行われる可能性があるにもかかわらず、送信信号の確実な受信が可能となっている。
また、前記では触れていない、リモコン（１３）からテレビ装置本体（１２）へ送信をする際の動作についても、リモコン（１３）の送受信センサー（１３Ｆ−１）を回転させて送信し、最後に送信データの受信確認を行なう等の手順により、前記と同様に確実に行なうことができる。
【００４２】
以上が本願発明に係る装置の動作の説明であるが、説明が詳細な部分にも及び多岐にわたったため、その動作の要点を図５のフローチャートを用いて、再度説明する。
図５は、本願発明に係るテレビ装置の動作の要点を時間の推移に従ってフローチャートにしたものである。
図５において、まず最初に、図１の放送受信部（５）はＧガイド情報すなわち固定見出し語情報と流動見出し語情報を受信して、図２の見出し語情報設定部（９Ａ）と図３のリモコン見出し語情報設定部（１３Ｄ）に供給する（Ｓ１）
次に供給された見出し語情報は、図１のディスプレイプロセッサ（８）及び図３のリモコンディスプレイプロセッサ（１３Ｇ）によって画面に構成されて図１のビデオ部（６）の表示部、及び図３のリモコンディスプレイ（１３Ｈ）に表示される（Ｓ２）。
【００４３】
次に、ユーザは前記のＧガイド画面表示を見て、所望の見出し語を音声によってリモコン（１３）へ入力する（Ｓ３）。
次に図２のチャネル検出部（９Ｂ）及び図３のリモコンチャネル検出部（１３Ｃ）は前記ユーザが音声で指定した見出し語に関連するチャネル名や番組名をリストアップし、分割子画面や番組リストとして表示する（Ｓ４）。
次にユーザは前記リストアップされて分割子画面に表示された番組の中から所望の番組を選択する（Ｓ５）。
以上の様な動作によって、本願発明に係る装置は、多数のチャネルや番組の中からユーザが所望する番組を、迅速、簡便、かつ快適に選択して表示することができる。
【００４４】
次に、本願発明に係るテレビ装置の第二の実施の形態について、図８ないし図１０を用いて説明する。なお、本実施の形態において、前記本願発明に係る装置の第一の実施の形態と共通する点は説明を省略してある。
【００４５】
最初に装置の構成を、図８を用いて説明する。
図８は、本願発明に係る装置の第二の実施の形態における、リモコン（１３）の外観を模式的に示した外観図である。
図８において、(ア)はリモコン（１３）の表側の外観を示す。（イ）はリモコン（１３）の裏側の外観を示す。
図８において、送受信センサー（１３Ｆ−２）は複数のものがそれぞれ指向性最良の方向が異なる方向（図８  Ｄ，Ｅ，Ｆ，Ｇ）に配設されている。撮影レンズ（１３Ｊ）は、ユーザの身振り手振りや表情を撮影しコマンド入力手段とするものであって、より広い範囲が撮影可能となるように、複数のものが異なる方向に向けて配設されている。第一のラベル（１３Ｋ−１）は一般的な注意事項、例えば「マイクに向かってコマンドを入力してください」等と表示されている。第二のラベル（１３Ｋ−２）は音声入力に用いることができる言語の情報、例えば「日本語、英語、中国語によってコマンドができます」等と表示されている。
【００４６】
言語選択スイッチ（１３Ａ−２）はトグル操作により入力に用いる言語を選択して設定する。ＯＫボタン（１３Ａ−３）は、前記のようにユーザが音声により選択し、Ｇガイド画面で点滅している見出し語を、ボタンを押すことで確定する機能を有する。マイクロホン（１３Ｂ−１）はユーザが音声によりコマンドを入力するためのもので、その機能は第一の実施の形態と同一である。サーチキー（１３Ａ−４）は、Ｇガイド画面に表示されている見出し語のなかで現在選択されていて点滅しているものを順番に変化させていく機能を有する。リモコンディスプレイ（１３Ｈ）は、第一の実施の形態と同じように、Ｇガイド画面などを表示する機能を有する。
【００４７】
次に、本発明に係る装置の第二の実施の形態の動作について説明する。説明に際しては、前記第一の実施の形態と異なる点のみを説明する。
ユーザは第一の実施の形態と異なり、リモコン（１３）に対して音声ばかりでなく、身振り手振り、あるいは顔の表情によってコマンドを入力することができる。そのコマンド入力方法の選択について、図９のフローチャートを用いて説明する。
【００４８】
図９は、ユーザがリモコン（１３）を用いてコマンドを入力する際の入力方法を選択する動作を説明するフローチャートである。この選択動作はリモコン（１３）に付属した図示しないスイッチを押すことで開始してもよいし、あるいはテレビ装置本体（１２）の電源スイッチがオンの状態になり、ユーザがテレビ装置本体（１２）の視聴を始めた際に必ず開始するようにしてもよい。
選択動作が開始すると、ユーザの選択を促す表示がリモコンディスプレイ（１３Ｈ）等に表示される（Ｓ２００）。
ユーザが音声認識モードを選択しようとする場合、まず入力に用いる言語を選択する（Ｓ２０１）。次に音声認識モードを選択する（Ｓ２０２）。あるいは身振り手振りモードを選択する（Ｓ２０３）か、表情認識モードを選択する（Ｓ２０４）。
【００４９】
選択が終了すると、リモコン(１３)はユーザが選択を確認するように促す表示をリモコンディスプレイ（１３Ｈ）などに表示する（Ｓ２０５）。図８のＯＫボタン（１３Ａ−３）を押すなどしてユーザが選択を確定すると、確定結果をリモコンディスプレイ（１３Ｈ）等に表示し、テレビ装置本体（１２）に送信した後に終了する（Ｓ２０６）。ＯＫボタン（１３Ａ−３）以外のボタンを押すなどして、ユーザが確定を拒否した場合は、選択をしない状態で終了する。
音声認識モードが選択されると、前記第一の実施の形態で説明したのと同じ方法で、ユーザはＧガイド画面内の見出し語の選択を行なう。
身振り手振り認識モードを選択すると、ユーザの手や体の動きを図８の撮影レンズ（１３Ｊ）が撮影し、ユーザの手や体の動きに応じてＧガイド画面内の見出し語が選択される。
表情認識モードを選択すると、ユーザの顔の表情を図８の撮影レンズ（１３Ｊ）が撮影し、ユーザの顔の表情に応じてＧガイド画面内の見出し語が選択される。
身振り手振り認識モードと表情認識モードは、前記音声認識モードが良好に機能しない状況、例えば周囲の騒音に妨害されて音声によるコマンド入力が困難な場合にその対処法として選択することもできるが、その技術的な内容等は本願発明の範囲を超える内容であるので詳細な説明は省略する。
【００５０】
次に、本願発明の装置の第二の実施の形態において、テレビ装置本体（１２）とリモコン（１３）との間の信号伝送の方法について説明する。
本願発明の第二の実施の形態の装置では、図８に示すように、リモコン（１３）の外観部には複数の送受信センサー（１３Ｆ−２）がそれぞれ最良の指向性方向が異なる方向(図８  Ｄ，Ｅ，Ｆ，Ｇ)に配設されている。
また、図示しないが、リモコン（１３）の内部には、リモコン（１３）の傾きと加えられた加速度を検知するセンサーが設けられている。さらに、テレビ装置本体（１２）は図１の送受信部（１１）からリモコン（１３）に対して受信テスト信号を発信する機能を有している。
従って、リモコン（１３）よりの要求に応じてテレビ装置本体（１２）の送受信部（１１）から送信された受信テスト信号を受信することによって、リモコン（１３）は現在の姿勢で送信、受信がもっとも確実に行なえる送受信センサー（（１３Ｆ−２）を判断することができる。その判断の動作を図１０のフローチャートを用いて説明する。
【００５１】
図１０は、本願発明に係る装置の第二の実施の形態において、テレビ装置本体（１２）よりの送信を受信する際に用いるリモコン（１３）の送受信センサー（１３Ｆ−２）を選択する動作のフローチャートである。
この動作は割り込み（３００）として行われ、リモコン（１３）が受信する必要が生じたとき、例えばテレビ装置本体（１２）よりＧガイド情報を送信する直前などに割り込み（３００）が開始する。
最初に、テレビ装置本体（１２）から受信テスト信号が送信される。それに対してリモコン（１３）は、最初に１番目の送受信センサー（１３Ｆ−２）での受信データを評価する（Ｓ３０１）。受信が良好であれば１番目の送受信センサー（１３Ｆ−２）を現在の受信用として選択し、割り込みから脱出する（Ｓ３０６）。Ｎならば、２番目の送受信センサー（１３Ｆ−２）での受信データを評価する（Ｓ３０２）。受信が良好であれば２番目の送受信センサー（１３Ｆ−２）を現在の受信用として選択し、割り込みから脱出する（Ｓ３０７）。
【００５２】
以下同様にして、受信データが良好である送受信センサー（１３Ｆ−２）が見つかるまで評価を続けていき、最後のセンサーを評価して（Ｓ３０３）Ｎであれば、初回のみタイマーをリセットして計時を開始する（Ｓ３０４）。そして計時結果があらかじめ決められたタイムリミットの範囲内である限り、１番目の送受信センサー（１３Ｆ−２）から順に受信データの評価を行なう（Ｓ３０５）。タイムリミットをオーバーしても、良好な受信データの送受信センサー（１３Ｆ−２）が見つからない場合は、受信を行なわない、と決めて割り込みを脱出する（Ｓ３０９）。
またリモコン装置（１３）には前記のように、リモコン（１３）の姿勢や加えられた加速度を検知する手段が備わっているので、図１０に示した受信テスト信号の評価と合わせて、リモコン（１３）は現時点での最良の受信が行なえる送受信センサー（１３Ｆ−２）を選択することができる。
【００５３】
また、送受信センサー（１３Ｆ−１）が回転する、前記第一の実施の形態と比較して、前記の第二の実施の形態では、回転等の可動部分がないので、機構的に単純で故障や騒音や消費電力を少なくできる、という特徴がある。
【００５４】
ところで、本願発明に係る装置は、前記に説明したことの他に、第一の実施の形態、第二の実施の形態に共通する特徴として、次のような点がある。
第一の特徴は、Ｇガイド表示画面を見ながら、音声を入力して見出し語を選択する操作において、もしもユーザが入力した音声コマンドが、見出し語の中に存在しなければ、入力した音声コマンドをＧガイド画面中にスーパーインポーズし表示をする点である。そしてユーザーがキーの操作などで、前記の音声コマンドを確認すると、その音声コマンドに該当するチャネル名や番組名が存在すれば直ちにその番組を表示する。こうすることでユーザは、あらかじめ見たい番組名がわかっている場合、わずらわしい選択の手順を省略して直ちに見たい番組を鑑賞することができる。
第二の特徴は、音声を入力するマイクロホン（１３Ｂ）は、ユーザの音声以外の雑音入力を抑制する目的で、大きな受信指向性を有し、また音声による入力が行われる状況下では、テレビ装置本体（１２）の音量はマイクロホン（１３Ｂ）への影響を少なくするためにコンプレス、あるいはリミットされてほぼ一定の音量に保たれているという点である。この第二の特徴によって、ユーザの音声が比較的小さくとも確実に音声による入力が行われる様になっている。
【００５５】
従って、テレビ装置を実施するにあたって、以下の様な手段を含むようにしてもよい。
Ｇガイド表示画面を見ながら音声を入力して見出し語を選択する操作において、見出し語の中に入力された音声に応じたコマンドが存在するかを確認し、存在しない場合、前記コマンドを前記表示画面に表示するとともに、そのコマンドに従って番組を選択するようした選択手段（９Ｃ）を有するテレビ装置。
入力された音声に応じてコマンドを受け付ける間、テレビ装置本体の音量をほぼ一定の音量に保つためのコンプレス／リミット手段を与えるようにした制御手段（９）を有するテレビ装置。
周囲の雑音に妨害されて、音声認識モード（Ｓ２０２）によるコマンドが機能しない場合、身振り手振り認識モード（Ｓ２０３）や表情認識モード（Ｓ２０４）のような他のモードにより番組の選択が行なえる入力手段と、同一の信号を複数の方向へ送信することを特徴とする送信手段を含むリモートコントロール装置（１３）。
リモートコントロール装置（１３）に対してテレビ装置本体（１２）から、電子番組表に関連する情報の他に受信テストするための受信テスト信号を送信することを特徴とするリモートコントロール装置（１３）。
テレビ装置本体（１２）からリモコン（１３）へ送信される、電子番組表に関する情報と受信テスト信号とに対する受信確認信号を、リモコン（１３）は複数の複数の方向へ送信することを特徴とするリモートコントロール装置（１３）。
【００５６】
【発明の効果】
以上詳細に説明したように、本願発明に係るテレビ装置では、電子番組表の見出し項目語を選択することによって、多数のチャネルや番組の中からユーザが所望する番組やチャネルをリストアップして表示できるようにし、更に見出し語を選択する方法としてユーザの音声、身振り手振り、顔の表情による入力を用いているので、快適、簡単かつ迅速に、所望の番組を選択できる、という効果がある。
更に、リモコン（１３）に対してテレビ装置本体（１２）から前記電子番組表の見出し語情報を送信するようにした場合には、信号線の接続や電気接点の接触などわずらわしいセッティングをすることなく、随時電子番組表の見出し語情報をリモコン（１３）に記憶させることができる、という効果がある。
【００５７】
更に、本願発明に係るリモコン装置及びテレビ装置では、リモコン（１３）の送受信センサー（１３Ｆ）は異なる複数の方向へ、テレビ装置本体（１２）へ送る信号を送信するようにしたので、前記のように音声による入力を用いてユーザが電子番組表の見出し語を選択する際に、確実にリモコン（１３）とテレビ装置本体（１２）との送受信が行なえる、という効果がある。
【図面の簡単な説明】
【図１】本願発明に係る装置のテレビ装置本体（１２）の構成図である。
【図２】本願発明に係る装置のテレビ装置本体（１２）の制御部（９）の構成図である。
【図３】本願発明に係る装置のリモコン（１３）の構成図である。
【図４】本願発明に係る装置の第一の実施の形態のリモコン（１３）の外観図である。
【図５】本願発明に係る装置の番組選択における動作の要点を示すフローチャートである。
【図６】本願発明に係る装置のテレビ装置本体（１２）の表示手段に表示されたＧガイド画面の一例を示す摸式図である。
【図７】本願発明に係る装置の第一の実施の形態において、リモコン（１３）の送受信センサー（１３Ｆ−１）が信号を受信する動作のフローチャートである。
【図８】本願発明に係る装置の第二の実施の形態における、リモコン（１３）の外観図である。
【図９】本願発明に係る装置の第二の実施の形態における、ユーザコマンドを入力するモードを選択する動作のフローチャートである。
【図１０】本願発明に係る装置の第二の実施の形態における、リモコン（１３）の送受信センサー（１３Ｆ−２）を選択する動作のフローチャートである。
【符号の説明】
１  ターミナル
２  ケーブル
３  分岐点
４  ケーブル
５  放送受信部
６  ビデオ部
７  オーディオ部
８  ディスプレイプロセッサ
９  制御部
９Ａ  見出し語情報設定部
９Ｂ  チャネル検出部
９Ｃ  チャネル選択部
１０  操作部
１１  送受信部
１２  テレビ装置本体
１３  リモコン
１３Ａ  リモコン操作部
１３Ａ−１  キー
１３Ａ−２  言語選択キー
１３Ａ−３  ＯＫボタン
１３Ａ−４  サーチキー
１３Ｂ  音声入力部
１３Ｂ−１  マイクロホン
１３Ｃ  リモコンチャネル検出部
１３Ｄ  リモコン見出し語情報設定部
１３Ｅ  リモコンチャネル選択部
１３Ｆ  リモコン送受信部
１３Ｆ−１  送受信センサー
１３Ｆ−２  送受信センサー
１３Ｇ  リモコンディスプレイプロセッサ
１３Ｈ  リモコンディスプレイ
１３Ｊ  撮影レンズ
１３Ｋ−１  ラベル
１３Ｋ−２  ラベル
２０  フルスクリーン
２１  メインウインドウ
２２  チャネル名
２３  番組名
２４  サブウインドウ
２５  サブウインドウ
【図１】
0003915291.tif 000002
【図２】
0003915291.tif 000003
【図３】
0003915291.tif 000004
【図４】
0003915291.tif 000005
【図５】
0003915291.tif 000006
【図６】
0003915291.tif 000007
【図７】
0003915291.tif 000008
【図８】
0003915291.tif 000009
【図９】
0003915291.tif 000010
【図１０】
0003915291.tif 000011